(57)【特許請求の範囲】
【請求項１】
遠隔絶縁棒を用いて対象物に被せられる防護用シートであって、
前記対象物に被せられたときに外側の面となる第１面の略重心位置に取り付けられており、前記対象物に被せられるとき又は前記対象物から取り外されるときに前記遠隔絶縁棒で把持される第１把持部と、
前記対象物に被せられたときに内側の面となる第２面にそれぞれ取り付けられており、前記対象物に被せられたときに互いに重なり合って接着される一対の接着部と、
前記対象物に被せられたときに互いに重なり合う端部のうち前記接着部の周囲にそれぞれ取り付けられており、それぞれが前記遠隔絶縁棒で把持されて互いに遠ざけられることにより前記接着部の接着を解除させる一対の第２把持部と、
前記第１面のうち前記対象物に被せられたときに手前側に位置する部分にそれぞれ取り付けられており、前記対象物に被せられたときに下端となる部分を前記第１面上に折り返したときに互いに重なり合って接着される一対の仮止め部とを備え、
前記一対の仮止め部は、
前記対象物に被せられるときに、互いに接着され、
前記対象物に被せられた後であって前記接着部が互いに接着される前に、互いに離隔されることを特徴とする防護用シート。
【請求項２】
請求項１に記載の防護用シートにおいて、
略同形の２枚のシート状部材が形を揃えて重ね合わされて形成され、
一方の前記シート状部材と他方の前記シート状部材とで挟まれているとともに、前記重心位置付近に取り付けられている芯材を備えていることを特徴とする防護用シート。
【発明の詳細な説明】
【技術分野】
【０００１】
本発明は、防護用シートに関し、特に、遠隔絶縁棒を用いて対象物を覆って絶縁する防護用シートに関する。
【背景技術】
【０００２】
架空配電線路において活線作業を行う場合は、従来から、安全のために、高圧充電部および接地部等に防護用のシートを被せて活線作業を行う。そして、防護用のシートの取付を手作業で行う場合は、充電部や接地部等の対象物に柔軟で可撓性を持つ風呂敷状の防護用シートを手作業で巻き付け、巻き付けた防護用のシートにゴム紐を巻き付けたり、または、巻き付けた防護用のシートを専用のはさみで挟んだりして、防護用のシートを対象物に固定していた。
【０００３】
これに対し、近年では、遠隔絶縁棒を用いて活線部分に直接触れることなく活線作業を行うという間接活線作業が広く行われるようになっており、遠隔絶縁棒を用いて活線作業を行うための専用の防護用のシートが提案されている。
【０００４】
例えば、特許文献１には、架空配電線路における活線工事作業時に高圧充電部（電線等）や接地部（腕金等）に取り付けて使用する配電線路工事用の防護カバーが開示されている。この防護カバーは、可撓性を持つ絶縁シートと、絶縁シートを緩やかに折り返した形で挟む把持部を持つシート固定用ハサミと、折り返された形の絶縁シートの両縁部近傍をそれぞれシート固定用ハサミの把持部の内面に沿わせて止めるシート止め板とを備えた配電線路工事用の防護カバーが開示されている。そして、絶縁シートとシート固定用ハサミとが一体化された構造であるため、防護カバー本体部分として柔軟な絶縁シートを用いながら、遠隔絶縁棒を用いた防護用シートの取り付け・取り外し作業を容易に行うことができる。したがって、防護用シートの取り付け対象物の形状によらず、防護用シートを用いることができる、と記載されている。
【特許文献１】特開平９−１９１５１８号公報
【発明の開示】
【発明が解決しようとする課題】
【０００５】
ところで、腕金付近の活線作業を行う場合には、引留グリップの防護として、電線を引留る碍子、クランプ及び縁回し線などを含んだ広範囲を防護する必要がある。しかし、特許文献１に開示されている防護用シートは、電線及び腕金を防護できるに過ぎず、碍子、クランプ及び縁回し線などを防護することは難しい。
【０００６】
そして、碍子、クランプ及び縁回し線などを含んだ広範囲を一括に防護する方法としては、上述の風呂敷状の防具を手作業で取り付ける方法、及び遠隔絶縁棒を用いて作業を行う方法が提案されているだけであり、遠隔絶縁棒を用いて危険を伴うことなく活線作業を行うことができるとともに、広範囲を一括に防護可能な防護用シートの提案が望まれていた。
【０００７】
本発明は、かかる点に鑑みてなされたものであり、その目的とするところは、遠隔絶縁棒を用いて危険を伴うことなく、高所に取り付けられた対象物に容易に被せることができる防護用シートを提供することにある。
しかしながら、引留グリップは、電柱上部に取り付けられているため、作業員は、電柱に昇り引留グリップに近づいて、引留グリップにカバーを被せる。よって、高所で作業を行うため、その作業は危険を伴う。
【０００８】
本発明は、かかる点に鑑みてなされたものであり、その目的とするところは、危険を伴うことなく高所に取り付けられた対象物に被せることができる防護用シートを提供することにある。
【課題を解決するための手段】
【０００９】
本発明は、遠隔絶縁棒を用いて対象物に被せられる防護用シートである。そして、防護用シートは、第１把持部と、一対の接着部と、一対の第２把持部と、一対の仮止め部とを備えている。第１把持部は、対象物に被せられたときに外側の面となる第１面の略重心位置に取り付けられており、対象物に被せられるとき又は対象物から取り外されるときに遠隔絶縁棒で把持される。一対の接着部は、対象物に被せられたときに内側の面となる第２面にそれぞれ取り付けられており、対象物に被せられたときに互いに重なり合って接着される。一対の第２把持部は、対象物に被せられたときに互いに重なり合う端部のうち接着部の周囲にそれぞれ取り付けられており、それぞれが遠隔絶縁棒で把持されて互いに遠ざけられることにより接着部の接着を解除させる。一対の仮止め部は、第１面のうち対象物に被せられたときに手前側に位置する部分にそれぞれ取り付けられている。この一対の仮止め部は、対象物に被せられたときに下端となる部分を第１面上に折り返したときに、互いに重なり合って接着される。さらに、この一対の仮止め部は、対象物に被せられるときに互いに接着され、対象物に被せられた後であって接着部が互いに接着される前に互いに離隔される。
【００１０】
上記の構成では、例えば、遠隔絶縁棒を用いて、第１把持部を把持して防護用シートを対象物に被せ、第２把持部を把持して対応する接着部を互いに接着させて対象物を防護用シートに固定する。そのため、遠隔操作により、防護用シートを対象物に被せて絶縁することができる。
【００１１】
本発明では、略同形の２枚のシート状部材が形を揃えて重ね合わされて形成され、一方のシート状部材と他方のシート状部材とで挟まれているとともに、重心位置付近に取り付けられている芯材を備えていることが好ましい。
【００１２】
上記の構成では、型くずれをおこすことなく防護用シートを把持できるため、防護用シートに対象物を容易に被せることができる。
【発明の効果】
【００１３】
本発明では、遠隔絶縁棒を用いて、危険を伴うことなく、高所に取り付けられた対象物に防護用シートを被せることができる。
【発明を実施するための最良の形態】
【００１４】
本発明に係る実施形態を示す前に、本発明を完成させるにあたり、発明者らが考えたことを以下に示す。
【００１５】
従来より、引留グリップを防護する風呂敷状の防護シートとして、複数枚のシートが着脱自在のテープにより接着されて略等脚台形状のシートとなった防護用シートが知られている。この防護用シートの場合、複数枚のシートを着脱させて、そのシートを引留グリップに被せるため、引留グリップの形状に合わせて防護用シートの形状を変更することができる。しかし、引留グリップに取り付ける際に、複数のシートを互いに接着させるため、その接着を手作業、または、遠隔絶縁棒を用いて行わなければならない。接着作業を手作業で行う場合、作業員が電線等に接触する虞があるため、作業の安全性を図ることができない。また、遠隔絶縁棒を用いて接着作業を行う場合には、遠隔絶縁棒を操作するための高度な技術が必要である。そこで、本願発明者らは、安全に、且つ、比較的容易に取り付けることができる防護用シートを発明した。
【００１６】
以下、本発明の実施形態を図面に基づいて詳細に説明する。なお、本発明は以下に示す実施形態に限定されない。
【００１７】
本実施形態では、電線５に取り付けられた引留グリップ（対象物）１に絶縁用のシートを被せる場合を具体例として、防護用シート１０の構成と防護用シート１０の取り付け方法及び取り外し方法とを示す。図１は、防護用シート１０が引留グリップ１に取り付けられた際の様子を示す図である。図２は、防護用シート１０の構成を示す図であり、図２（ａ）は、防護用シート１０を外面側から見た平面図であり、図２（ｂ）は、防護用シート１０を内面側から見た平面図である。なお、防護用シート１０の外面側とは、引留グリップ１に被覆したときに外面となる側を意味し、防護用シート１０の内面側とは、引留グリップ１に被覆したときに内面となる側を意味する。また、図３は、遠隔絶縁棒１０１の平面図である。図４は、防護用シート１０を対象物に被せる方法の第１工程を示す図であり、図５は、防護用シート１０を対象物に被せる方法の第２工程を示す図である。また、図６は、防護用シート１０を対象物から取り外す方法を示す図である。
【００１８】
防護用シート１０は、図１に示すように、電柱３に架設された電線５を碍子７に引き留めるための引留グリップ１を被覆して絶縁するシート状部材であり、図２に示すように、略等脚台形状である。詳細には、防護用シート１０は、略等脚台形状の外面側シート１１と内面側シート１２と芯材１５とを備えており、対称軸に沿って２枚のシート１１，１２の間に芯材１５が配置されて、その２枚のシート１１，１２が形を揃えて張り合わされて形成されている。
【００１９】
外面側シート１１には、図２（ａ）に示すように、２つの第１把持部１３，１３と、一対のグリップ挿入部１７，１７と、合計１２個の仮止め部１８，１８，…が取り付けられている。
【００２０】
２つの第１把持部１３，１３は、各々、外面側シート１１の対称軸上に並んで配置されており、後述の遠隔絶縁棒１０１の上端把持部１０７が把持可能に形成されている。これにより、各第１把持部１３は、防護用シート１０がバランス良く把持されるように構成されている。
【００２１】
一対のグリップ挿入部１７，１７は、各々、短底寄りと長辺寄りとに、グリップ９の挿入方向が短辺と略平行となるように、且つ、外面側シート１１の対称軸に対して対称となるように、配置されている。これにより、一対のグリップ挿入部１７，１７は、各々、グリップ９が挿入されることにより、隙間を空けることなく引留グリップ１に取り付けられるように構成されている。
【００２２】
仮止め部１８，１８，…は、外面側シート１１の対称軸に対して対称に配置されている。詳細には、図２（ａ）におけるシートの上側部分では、３つの仮止め部１８，１８，１８が、各々、斜辺に沿って配置され、残りの３つの仮止め部１８，１８，１８が、各々、対称軸の近くに配置されている。なお、以下において、斜辺に沿って配置された各仮止め部１８を斜辺沿い仮止め部１８と記し、対称軸の近くに配置された各仮止め部１８を軸近傍仮止め部１８と記す。
【００２３】
斜辺沿い仮止め部１８，１８，１８は、各々、斜辺と略平行に延びるように、且つ、斜辺方向に間隔を空けて配置されている。すなわち、斜辺沿い仮止め部１８，１８，１８は、長底寄りと、中央付近と、短辺寄りとに配置されている。また、各斜辺沿い仮止め部１８は、略同一の大きさに形成されている。
【００２４】
軸近傍仮止め部１８，１８，１８は、各々、長辺または短辺と略平行に延びるように、且つ、対称軸方向に間隔を空けて配置されている。すなわち、軸近傍仮止め部１８，１８，１８は、長底寄りと、中央付近と、短辺寄りとに配置されている。また、長底寄りの軸近傍仮止め部１８が最も長く、短辺寄りの軸近傍仮止め部１８が最も短い。
【００２５】
そして、軸近傍仮止め部１８，１８，１８は、各々、斜辺と対称軸とが重なり合うように上側のシート部分を折り曲げたときに、対応する斜辺沿い仮止め部１８，１８，１８と接着可能となるように配置されている。例えば、長底寄りの軸近傍仮止め部１８は、長底寄りの斜辺沿い仮止め部１８と接着可能となるように、配置されている。これにより、仮止め部１８，１８，…は、上記の折り曲げ状態が維持可能となるように構成されている。
【００２６】
内面側シート１２には、図２（ｂ）に示すように、８個の第２把持部１４，１４，…と、合計６個の接着部１６，１６，…とが取り付けられている。
【００２７】
８個の第２把持部１４，１４，…は、対称軸に対して対称に配置されている。詳細には、図２（ｂ）におけるシートの上側部分では、３つの第２把持部１４，１４，１４が、斜辺の端部に、互いに間隔を開けて配置されている。また、１つの第２把持部１４が、長底の端部に配置されている。そして、第２把持部１４，１４，…は、防護用シート１０を容易に取り外し可能となるように、構成されている。
【００２８】
６個の接着部１６，１６，…は、対称軸に対して対称に配置されており、すなわち、軸対称に配置された接着部１６，１６が接着可能となるように、配置されている。詳細には、図２（ｂ）におけるシートの上側部分では、１つの接着部１６は、斜辺と互いに長手方向を揃えて配置されている。別の接着部１６は、短底寄りに、短辺と略平行に配置されている。残りの接着部１６は、長底と互いに長手方向を揃えて配置されている。そして、接着部１６，１６，…は、取り付けられた防護用シート１０の移動を阻止するように構成されている。
【００２９】
このように、防護用シート１０には、第１把持部１３，１３が取り付けられている。そのため、図３に示す遠隔絶縁棒１０１で第１把持部１３を把持すれば、バランスを崩すことなく防護用シート１０を把持することができる。また、対称軸沿いに芯材１５が配置されているため、遠隔絶縁棒１０１で第１把持部１３を把持すれば、型くずれをおこすことなく、防護用シート１０を把持することができる。
【００３０】
また、接着部１６の周囲に第２把持部１４が取り付けられている。そのため、一方の斜辺側の第２把持部１４が遠隔絶縁棒１０１で把持され、他方の斜辺側の第２把持部１４が別の遠隔絶縁棒１０１で把持され、遠隔絶縁棒１０１，１０１が互いに遠ざけられると、互いに接着されていた接着部１６，１６の接着が解除される。以上より、防護用シート１０は、遠隔絶縁棒１０１を用いて、引留グリップ１に容易に取り付けたり、取り外したりすることができる。そのため、作業者は、遠隔絶縁棒１０１を用いて、地上などの安全な場所から引留グリップ１に防護用シート１０を取り付けることができる。よって、危険を伴うことなく、作業を行うことができる。
【００３１】
なお、遠隔絶縁棒１０１は、図３に示すように、操作部１０３と補助操作部１０５と上端把持部１０７と下端把持部１０９とを備え、下端把持部１０９を把持すると、補助操作部１０５が下方へ移動して上端把持部１０７が対象物を把持するように構成されている。
【００３２】
また、防護用シート１０には、仮止め部１８，１８，…が取り付けられている。そのため、上記の折り曲げ状態を維持させたまま、防護用シート１０を取り付けることができる。従って、防護用シート１０を適切な位置に配置させたことを確認してから、防護用シート１０を固定することができるため、作業の迅速化を図ることができる。
【００３３】
また、引留グリップ１に防護用シート１０を取り付けた後に、上記の折曲状態を維持することができるため、対応する接着部１６，１６の接着を強固にすることができる。
【００３４】
また、従来の防護用シートと異なり、複数枚のシートを接着させる手間を省くことができるため、作業時間の短縮を図ることができる。
【００３５】
また、一対のグリップ挿入部１７，１７に、各々、グリップ９，９を挿入することにより、ほとんど隙間を空けることなく防護用シート１０を引留グリップ１に取り付けることができるため、防護用シート１０が引留グリップ１からずれてしまうことを阻止することができる。よって、防護用シート１０のずれによる感電の危険性を低く抑えることができる。さらに、一対のグリップ挿入部１７，１７に、各々、グリップ９，９を挿入することにより、作業中における防護用シート１０の移動を阻止することができる。
【００３６】
次に、引留グリップ１に防護用シート１０を取り付ける方法及び取り外す方法を示す。
引留グリップ１に防護用シート１０を取り付けるためには、まず、一対のグリップ挿入部１７，１７に、各々、グリップ９，９を挿入する。また、手前側となるシートの部分における斜辺沿い仮止め部１８，１８，１８と、各々に対応する軸近傍仮止め部１８，１８，１８とを互いに接着させる。例えば、長底寄りの斜辺沿い仮止め部１８と長底寄りの軸近傍仮止め部１８とを接着させる。
【００３７】
次に、図４に示すように、第１把持部１３を遠隔絶縁棒１０１の上端把持部１０７で把持して、引留グリップに被せる。このとき、シートの手前側部分では、図４に示すように、折曲状態が維持されているため、作業員は、防護用シート１０が引留グリップを被覆しているか否かを確認しながら、引留グリップ１に被せることができる。
【００３８】
続いて、シートの手前側部分の第２把持部１４を遠隔絶縁棒１０１で把持して、仮止め部１８の接着を解除する。そして、図５に示すように、１本の遠隔絶縁棒１０１を用いて、防護用シート１０の外側から対応する接着部１６，１６を把持して、対応する接着部１６，１６を互いに接着させる。これにより、引留グリップ１に防護用シート１０を固定することができる。
【００３９】
そして、手前側のシートの斜辺沿い仮止め部１８，１８，１８と、各々に対応する軸近傍仮止め部１８，１８，１８とを互いに接着させる。これにより、対応する接着部１６，１６の接着状態を強固にすることができる。
【００４０】
引留グリップ１から防護用シート１０を取り外すためには、まず、仮止め部１８の接着状態を解除する。そして、図６に示すように、２本の遠隔絶縁棒１０１，１０１を用いて、対応する接着部１６，１６の接着を解除する。具体的に、一方の遠隔絶縁棒１０１で一方の斜辺の第２把持部１４を把持し、他方の遠隔絶縁棒１０１で他方の斜辺の第２把持部１４を把持して、両遠隔絶縁棒１０１，１０１を互いに遠ざける。これにより、互いに接着されていた接着部１６，１６の接着が解除される。
【００４１】
次に、遠隔絶縁棒１０１を用いて、グリップ９，９を各々一対のグリップ挿入部１７，１７に挿入させた状態で、第１把持部１３を把持して引留グリップ１から防護用シート１０を取り外す。
【００４２】
このように、防護用シート１０は、遠隔絶縁棒１０１を用いて、引留グリップ１に取り付け自在であるため、作業者は、地上に居ながらにして防護用シート１０を引留グリップ１に取り付け可能である。よって、防護用シート１０を引留グリップ１に安全に取り付けることができる。
【００４３】
なお、本実施形態では、一方の第１把持部１３を遠隔絶縁棒１０１で把持したが、防護用シートが大きいために一方の第１把持部１３を把持しただけでは防護用シートをバランスよく把持できない場合などは、他方の第１把持部１３を別の遠隔絶縁棒１０１で把持してもよい。
【００４４】
また、第２把持部１４は、外面側シート１１に取り付けられていても良く、外面側シート１１と内面側シート１２とが張り合わされるときに、取り付けられてもよい。
【００４５】
また、上述の遠隔絶縁棒は、図３に示す遠隔絶縁棒１０１に限定されることなく、公知の遠隔絶縁棒を用いることができる。具体的には、下端把持部を把持することにより、補助操作棒が上下方向に移動して、その移動により、上端把持部が把持可能となるように回動するように構成されていればよい。
【００４６】
また、防護用シート１０の形状は、等脚台形であるとしたが、等脚台形に限定されることはない。引留グリップ１の形状に合わせて、防護用シート１０の形状を選択することができる。
【００４７】
また、芯材１５は、防護用シートが小さければ、取り付けられていなくてもよい。
【００４８】
また、防護用シート１０を取り付けるさい、手前側となるシート部分を折曲させて引留グリップに取り付けるとしたが、背面側となるシート部分をも折曲させて引留グリップに取り付けても良い。
【００４９】
また、防護用シート１０を取り付けた後、手前側のシート部分を折曲するとしたが、背面側のシート部分を折曲してもよい。
【産業上の利用可能性】
【００５０】
以上説明したように、本発明は、遠隔絶縁棒を用いて対象物に被せて絶縁する防護用シートについて有用である。
【図面の簡単な説明】
【００５１】
【図１】防護用シート１０の使用例を示す図である。
【図２】防護用シート１０の平面図である。
【図３】遠隔絶縁棒１０１の平面図である。
【図４】防護用シート１０を対象物に被せる方法の第１工程を示す図である。
【図５】防護用シート１０を対象物に被せる方法の第２工程を示す図である。
【図６】防護用シート１０を対象物から取り外す方法を示す図である。
【符号の説明】
【００５２】
１０    防護用シート
１１    外面側シート（一方のシート状部材）
１２    内面側シート（他方のシート状部材）
１３    第１把持部
１４    第２把持部
１５    芯材
１６    接着部
【図１】
0004408851.tif 000002
【図２】
0004408851.tif 000003
【図３】
0004408851.tif 000004
【図４】
0004408851.tif 000005
【図５】
0004408851.tif 000006
【図６】
0004408851.tif 000007